(57)【要約】【課題】建物の被取付面に塩化ビニル樹脂材料にて被覆された化粧鋼板、又はセメント系材料が用いられていても、取付体が可塑剤又はアルカリの移行による劣化を受けることなく、さらに、取付時の衝撃や固着具による取付体のクラック発生を防止できうる、長期的に品質特性を確保できる樋支持具を提供する。【解決手段】取付体３を、被取付面１に当設される側の固定部６と、支持体４が前面に突設される側の座部７と、固定部６と座部７との間に介在する可塑剤又はアルカリの移行を防止する防止層８と、で構成することにより、被取付面１からの可塑剤又はアルカリの移行を防止層８で防止することができる。しかも、防止層８に弾性材を用いることにより、取付時の衝撃や、釘又はネジなどの固着具１０による応力集中を、弾性材により緩衝することで、取付体３のクラック発生を防止されるようになした。【選択図】図３
2007285072.tif 000002
【特許請求の範囲】
【請求項１】
建物の被取付面に取り付けられる取付体と、この取付体の前面に突設されて樋を支持する支持体と、が一体に形成されたポリカーボネート樹脂製の樋支持具において、取付体が、被取付面に当接される側の固定部と、支持体が前面に突設される側の座部と、固定部と座部との間に介在されて、弾性材で形成された可塑剤又はアルカリの移行を防止する防止層と、を有するものであることを特徴とする樋支持具。
【請求項２】
取付体の固定部、座部及び防止層に連通した取付用孔を設けたことを特徴とする請求項１記載の樋支持具。
【請求項３】
固定部又は座部の、防止層との接合側面において、上側及び下側に同じ高さを有する突起部を設けたことを特徴とする請求項１又は２記載の樋支持具。
【発明の詳細な説明】
【技術分野】
【０００１】
本願発明は、建物の壁や鼻隠し板などの被取付面に各種樋（軒樋あるいは竪樋）を取り付ける際に使用する樋支持具に関する。
【背景技術】
【０００２】
従来から、特許第３７０１７１８号公報（特許文献１）に示されるように、建物の被取付面には、一般的に塩化ビニル樹脂材料にて被覆している化粧鋼板が使用されており、この塩化ビニル樹脂材料に含まれている可塑剤が被取付面の表面側に移行し、この可塑剤がポリカーボネート樹脂製の樋支持具の取付体の被取付面側から移行して劣化作用をおよぼす恐れが想定される。
【０００３】
この場合、取付体の被取付面に当接される後面に、可塑剤の移行を防止する防止層を設けることによって被取付面からの可塑剤の移行を防ぎ、取付体の劣化を防いでいる。
【特許文献１】特許第３７０１７１８号公報
【発明の開示】
【発明が解決しようとする課題】
【０００４】
しかしながら、上記従来例である樋支持具にあっては、被取付面に取り付ける際の衝撃により、取付体にクラックが発生し、又は、取付体に取付用孔が設けられ、釘又はネジなどの固着具にて、建物の被取付面に取り付けられる場合、固着具の取り付けによる応力集中により、取付体の取付用孔からクラックが発生する問題があった。また、被取付面をセメント系材料とした場合には、アルカリの移行による樋支持具の劣化作用をおよぼす恐れが想定される。
【０００５】
本願発明は、上記背景技術に鑑みて発明されたものであり、その目的は、建物の被取付面に、可塑剤を含む塩化ビニル樹脂材料にて被覆された化粧鋼板、又はセメント系材料が用いられていても、取付体が可塑剤又はアルカリの移行による劣化を受けることなく、さらに、取付時の衝撃や固着具による応力集中等による取付体のクラック発生を防止できうる、長期的に品質特性を確保できる樋支持具を提供することである。
【課題を解決するための手段】
【０００６】
上記課題を解決するために、本願請求項１記載の発明では、建物の被取付面に取り付けられる取付体と、この取付体の前面に突設されて樋を支持する支持体と、が一体に形成されたポリカーボネート樹脂製の樋支持具において、取付体が、被取付面に当接される側の固定部と、支持体が前面に突設される側の座部と、固定部と座部との間に介在されて、弾性材で形成された可塑剤又はアルカリの移行を防止する防止層と、を有するものであることを特徴としている。
【０００７】
本願請求項２記載の発明では、上記請求項１記載の樋支持具において、取付体の固定部、座部及び防止層に連通した取付用孔を設けたことを特徴としている。
【０００８】
本願請求項３記載の発明では、上記請求項１又は２記載の樋支持具において、固定部又は座部の、防止層との接合側面において、上側及び下側に同じ高さを有する突起部を設けたことを特徴としている。
【発明の効果】
【０００９】
本願請求項１記載の発明の樋支持具においては、取付体を、被取付面に当設される側の固定部と、支持体が前面に突設される側の座部と、固定部と座部との間に介在する可塑剤又はアルカリの移行を防止する防止層と、で構成することにより、被取付面からの可塑剤又はアルカリの移行を防止層で防止することができる。しかも、防止層に弾性材を用いることにより、被取付面への取付時における衝撃を弾性材により緩衝することで、取付体のクラック発生を防止することができる。
【００１０】
本願請求項２記載の発明の樋支持具においては、特に、取付体の固定部、座部及び防止層に連通する取付用孔を設けることで、取付用孔に釘又はネジなどの固着具を挿入して、被取付面に取り付けることができる。しかも、固着具による取付用孔への応力集中を、防止層の弾性材により緩衝することで、取付体のクラック発生を防止することができる。
【００１１】
本願請求項３記載の発明の樋支持具においては、特に、被取付面に取り付けた際に、防止層の沈み込みが応力集中を緩和するが、固定部又は座部の、防止層との接合側面の上側と下側に同じ高さを有する突起部を設けることにより、防止層の圧縮量を一定量以下の同量にする効果を出すことで、樋支持具の取り付けの傾きを防止することができる。
【発明を実施するための最良の形態】
【００１２】
図１、２は本願発明の実施形態である樋支持具の一例である軒樋支持具を示しており、図１は側面図、図２は取付体を示す背面図である。また、図３は図２のA−A線における切断端面図である。なお、本願発明の樋支持具の形態は、軒樋を支持する軒樋支持具でも、竪樋を支持する竪樋支持具のいずれでもよく、支持体の構造は、軒樋あるいは竪樋の形状や構造に応じて決定すればよい。
【００１３】
樋支持具２は、ポリカーボネート樹脂製のものであり、図１に示すように、建物の被取付面１に取り付けられる取付体３と、この取付体３の前面に突設された支持体４と、を備えており、支持体４によって軒樋５が支持されている。
【００１４】
取付体３は、図２に示すように、四角形状の板状体であって、４個の取付用孔９が設けられており、図３に示すように、釘又はネジなどの固着具１０を取付用孔９に挿入して、被取付面１に取り付けられるようになっている。
【００１５】
さらに、取付体３は、被取付面１に当接される側の固定部６と、支持体４が前面に突設される側の座部７と、固定部６と座部７との間に介在している防止層８と、で構成され、固定部６の防止層８との接合側面には、上側及び下側に突起部１１が設けられている。
【００１６】
支持体４は、図１に示すように、座部７から前面に突設し、屋外側の先端には上方に屋外側屈曲片１２が形成され、軒樋５の屋外側耳部１５を支持し、一方、座部７から下方に突設された係止片１４と、支持体４の屋内側に屋内側屈曲片１３が形成され、軒樋５の屋内側耳部１６を支持することにより、軒樋５を支持するものである。
【００１７】
以下、この実施形態の樋支持具を、より具体的詳細に説明する。
【００１８】
図３に示すように、取付体３の取付用孔９に釘又はネジなどの固着具１０を挿入し、塩化ビニル樹脂材料にて被覆された化粧鋼板、又はセメント材料で構成されている被取付面１に固定する。そして、図１に示すように、溝状に形成された屋外側耳部１５を支持体４の屋外側屈曲片１２に上方より係止させ、中空状に形成された屋内側耳部１６を下から押し上げ、係止片１４を押し広げるようにして、屋内側屈曲片１３の上部に設置させる。係止片１４によって、軒樋５の前後方向の移動の規制を受けることにより、屋内側耳部１６の屋内側屈曲片１３からの抜け落ちの防止が図られている。
【００１９】
図３に示すように、固着具１０で被取付面１に取り付けられている取付体３は、被取付面１に当接する側の固定部６と、支持体４と一体に形成される側の座部７と、固定部６と座部７との間に介在する可塑剤又はアルカリによる移行を受けない材料を用いた防止層８と、で構成されている。このことより、塩化ビニル樹脂材料にて被覆された化粧鋼板、又はセメント材料で構成されている被取付面１からの可塑剤又はアルカリの移行は、防止層８にて防止されるため、取付体３の座部７は可塑剤又はアルカリによって劣化を受けることはない。この結果、軒樋５を支持するポリカーボネート樹脂製の樋支持具２は、可塑剤またはアルカリの移行による劣化を受けることなく、長期的に品質特性を確保することができる。
【００２０】
さらに、防止層８に弾性を有した材料を用いることにより、被取付面１に取付体３を取り付ける際の取付体３への衝撃を、防止層８の弾性特性によって衝撃を緩衝することで、取付体３のクラックの発生などの損傷を防止することができる。
【００２１】
また、取付体３を被取付面１に取り付ける場合において、取付体３の固定部６、座部７及び防止層８に連通した取付用孔９に、釘又はネジなどの固着具１０を挿入して、取付体３を被取付面１に固定する。この固着具１０の取り付けによって、取付体３の取付用孔９への応力集中が生じ、取付用孔９からクラックが発生する場合があるが、取付体３に介在する弾性材を用いた防止層８が圧縮されることにより、応力を緩和する効果を生じることとなる。この結果、取付用孔９への応力集中は緩和され、取付体３のクラックの発生を防止することができる。
【００２２】
この樋支持具２は、取付体３にある４箇所の取付用孔９に夫々固着具１０を挿入し、被取付面１に固定される。固着具１０の取り付けによる取付用孔９への応力集中の緩和効果は防止層８が圧縮されて生じうるが、各固着具１０の被取付面１への打ち込み又はねじ込みの長さが夫々異なることによって、防止層８の圧縮量が全面で均一とならない場合がある。この場合、座部７が被取付面１に対して傾いた状態で固定され、樋支持具２が建物の壁面に対して傾いた状態で固定されることとなる。そこで、固定部６において、防止層８との接合側面の上側及び下側に同じ高さを有する突起部１１を設けることで、突起部１１と座部７との間の弾性材の圧縮量を一定量以下の同量にする効果を生じさせることとなる。このことにより、座部７の上側と下側の防止層８への沈み込み量を同じにすることができ、座部７を被取付面１に対して平行に固定することができる。ここで、突起部１１を固定部６の上側及び下側の全長に設けることによって、防止層８の上側と下側の圧縮量を全長に亘って同量とする効果を奏することができ、座部７の被取付面１に対する傾き防止の安定性を向上させることができる。この結果、防止層８の弾性材としての応力集中の緩和効果を損なうことなく、取付体３を被取付面１に対して傾くことなく、安定して取り付けることができ、樋支持具２の取り付ける際の傾きを防止することができる。なお、突起部１１は、座部７の防止層８との接合側面の上側及び下側に設けてもよい。
【図面の簡単な説明】
【００２３】
【図１】本願発明における樋支持具の一例を示す側面図である。
【図２】図１の取付体を示す背面図である。
【図３】図２のA−A線における切断端面図である。
【符号の説明】
【００２４】
１  被取付面
２  樋支持具
３  取付体
４  支持体
５  軒樋
６  固定部
７  座部
８  防止層
９  取付用孔
１０  固着具
１１  突起部
１２  屋外側屈曲片
１３  屋内側屈曲片
１４  係止片
１５  屋外側耳部
１６  屋内側耳部
【図１】
2007285072.tif 000003
【図２】
2007285072.tif 000004
【図３】
2007285072.tif 000005